(57)【要約】【課題】部品点数を削減することができ、より一層の小型化を図ることのできるレンズ鏡筒を提供する。【解決手段】レンズ鏡筒を構成する内部機構１０は、第１のレンズホルダ１、第２のレンズホルダ２、複数の絞り羽根を組み込んだ光量調節装置６、絞り羽根を動作させる絞り駆動レバー７、絞り駆動レバー７を回動させる第１の駆動装置８、第１のレンズホルダ１と第２のレンズホルダ２を光軸方向に移動させる第２の駆動装置、第１のレンズホルダ１及び第２のレンズホルダ２と係合すると共に第１の駆動装置８の駆動軸として第１の駆動装置８と絞り駆動レバー７を繋ぐ第１の軸部材４、第１のレンズホルダ１と第２のレンズホルダ２の移動を案内する第２の軸部材５とから構成されている。【選択図】図１
2007298660.tif 000002
【特許請求の範囲】
【請求項１】
撮影レンズ群を保持するレンズホルダと、絞り羽根と、前記レンズホルダと係合すると共に駆動源の駆動力を前記絞り羽根に伝達する第１の軸部材と、前記レンズホルダの移動を案内する第２の軸部材とを備えることを特徴とするレンズ鏡筒。
【請求項２】
撮影レンズ群を保持するレンズホルダと、絞り羽根と、駆動源と、前記レンズホルダに係合する第１の軸部材と、前記第１の軸部材とは別に前記レンズホルダに係合する第２の軸部材とを有し、
前記第１の軸部材は、前記レンズホルダの回転を制限するとともに前記駆動源の駆動力を前記絞りに伝達することを特徴とするレンズ鏡筒。
【請求項３】
前記第１の軸部材に係合されている絞り駆動レバーの回転により前記絞り羽根が作動されることを特徴とする請求項１または２に記載のレンズ鏡筒。
【請求項４】
前記絞り駆動レバーには第１の凹部または第１の凸部のいずれか一方が形成されており、前記第１の軸部材には、前記第１の凹部と嵌合するための第２の凸部、または前記第１の凸部と嵌合するための第２の凹部のいずれか一方が形成されていることを特徴とする請求項３に記載のレンズ鏡筒。
【請求項５】
前記第１の軸部材に形成された前記第２の凸部または前記第２の凹部は、該第１の軸部材の長手方向に沿って断面形状を有していることを特徴とする請求項１〜４のいずれかに記載のレンズ鏡筒。
【請求項６】
前記絞り駆動レバーは、前記第１のレンズホルダと前記光量調節装置との間に配設されており、且つ、該第１のレンズホルダと該絞り羽根が固設されていることを特徴とする請求項３に記載のレンズ鏡筒。
【発明の詳細な説明】
【技術分野】
【０００１】
本発明は、ビデオカメラ、スチルカメラやその他の撮像装置に装着され、光量調節装置と変倍レンズおよび合焦レンズを光軸方向に移動させる機構を含むレンズ鏡筒に関する。
【背景技術】
【０００２】
従来のビデオカムコーダ等の撮影機器に組み込まれるレンズ鏡筒としては、例えば特許文献１に開示されるレンズ鏡筒を挙げることができる（図６参照）。
【０００３】
図６において、１１は第１レンズ群を保持する不動の第１保持部材、１２は第２レンズ群を保持しながら光軸方向に移動することによって変倍動作を行う第２保持部材、１３は第３レンズ群を保持する不動の第３保持部材である。１４は保持した第４レンズ群を光軸方向に移動させて合焦動作を行う第４保持部材、１５はＣＣＤ等の撮像素子を取り付けるための後部鏡筒である。１６及び１７は、第１保持部材１１と後部鏡筒１５によって位置決め固定されたガイドバーであり、第２保持部材１２と第４保持部材１４を光軸方向に移動可能に支持している。
【０００４】
また、１８は光学系の開口径を変化させる絞りユニットであり、２枚の絞り羽根１８ａ，１８ｂを部材１８ｃ，１８ｄで形成する隙間に挟み込むことにより、移動範囲を規制している。１９は該絞り羽根１８ａ，１８ｂを相対的に反対方向に移動させる駆動手段であるＩＧメータである。２０は第４レンズ群を光軸方向に移動させて合焦動作を行う駆動手段であるフォーカスモータであり、２１は第２レンズ群を光軸方向に移動させて変倍動作を行わせるための駆動手段であるズームモータである。
【０００５】
上記のレンズ鏡筒は、近時のビデオカメラやスチルカメラ等の小型化に伴い、レンズ鏡筒自体の小型化を図ることを目的として発案されたものである。
【０００６】
このレンズ鏡筒には、変倍レンズ群を駆動させるズームモータ２１と、合焦レンズ群を駆動させるフォーカスモータ２０と、絞りユニット１８の絞り羽根１８ａ，１８ｂを駆動させるＩＧメータ１９とが駆動源として設けられている。このレンズ鏡筒では、光軸をほぼ中心とする直方体内の各隅部にこれらの駆動源を配設している。かかる構成とすることにより、コンパクトな直方体形のレンズ鏡筒を形成することができ、ビデオカムコーダを構成する他のユニットと組み合わせた際の機器全体の小型化を図ることが可能となる。
【特許文献１】特開平１１−８４２０９号公報
【発明の開示】
【発明が解決しようとする課題】
【０００７】
特許文献１に開示のレンズ鏡筒によれば、従来のレンズ鏡筒に比してより小型化されたレンズ鏡筒を得ることができる。
【０００８】
しかし、図６に示すレンズ鏡筒では、移動レンズ（例えば第４の保持部材１４）を光軸方向に移動させる際に、次の３種類の軸部材が必要となる。すなわち、フォーカスモータの駆動軸と、第４の保持部材１４の移動を案内するガイドバー１６と、第４の保持部材１４の移動時の回動振れを防止するためのガイドバー１７である。３種類もの軸部材を設けているために、レンズ鏡筒のより一層の小型化は極めて困難である。
【０００９】
また、ガイドバー１６，１７は、第２の保持部材にも挿入されているため、絞りユニット１８には、このガイドバーが貫通する部分を設ける必要があり、かかる貫通する部分を設けることによって絞りユニット１８の形状が制約されてしまう。同様に、絞りユニット１８を駆動するためのアクチュエータであるＩＧメータ１９の配設位置も制約されることとなる。
【００１０】
本発明は、その内部機構の部品点数を削減することにより、従来のレンズ鏡筒に比してより一層の小型化を図ることのできるレンズ鏡筒を提供することを目的とする。
【課題を解決するための手段】
【００１１】
上記目的を達成するために、請求項１記載のレンズ鏡筒は、撮影レンズ群を保持するレンズホルダと、絞り羽根と、前記レンズホルダと係合すると共に駆動源の駆動力を前記絞り羽根に伝達する第１の軸部材と、前記レンズホルダの移動を案内する第２の軸部材とを備えることを特徴とする。
【発明の効果】
【００１２】
本発明によれば、レンズ鏡筒を構成する部品点数を削減することができ、レンズ鏡筒のさらなる小型化を図ることができる。また、レンズホルダの回動振れを効果的に防止することができる。
【発明を実施するための最良の形態】
【００１３】
以下、本発明の実施の形態を図面を参照しつつ詳細に説明する。なお、本発明のレンズ鏡筒は、（デジタル）ビデオカメラ、（デジタル）スチルカメラなど、レンズ鏡筒が組み込まれる全ての撮影機器に適用されるものである。
【００１４】
図１は、本発明の実施の形態にかかるレンズ鏡筒の内部機構を示す斜視図である。なお、内部機構を収容する外側の筒体は図示を省略しているが、レンズ鏡筒を形成する不図示の筒体は、筒状体のほかに中空の直方体など、その形状や寸法は適宜に設定することができる。
【００１５】
内部機構１０は、合焦レンズ群・変倍レンズ群等，撮影レンズを収容する第１〜第３のレンズホルダ１〜３を備えている。
【００１６】
第１のレンズホルダ１の一端には、第２の軸部材５を内挿するための筒体１ｂが設けられており、不図示のカム筒のカム溝に挿入されるカムピン１ａが筒体１ｂに形成されている。同様に、第２のレンズホルダ２の一端にも、第２の軸部材５を内挿するための筒体２ｂが設けられており、カム筒のカム溝に挿入されるカムピン２ａが筒体２ｂに形成されている。
【００１７】
このカムピン１ａ，２ａは、不図示の第２の駆動装置により、不図示のカム筒のカム溝に沿って転動可能に構成されている。第２の駆動装置の駆動に応じてカムピン１ａ，２ａが転動することにより、第１のレンズホルダ１と第２のレンズホルダ２とが第２の軸部材５に沿って光軸方向に移動する。
【００１８】
一方、第１のレンズホルダ１の他端と第２のレンズホルダ２の他端には、第１の軸部材４に係合する溝部を備えた係合部１ｃ、２ｃがそれぞれ設けられている。係合部１ｃ、２ｃが第１の軸部材４に係合することにより、第１のレンズホルダ１と第２のレンズホルダ２が移動する際に、第２の軸部材５を中心にこれらが回動する（振れる）ことを効果的に防止することができる。
【００１９】
第１の駆動軸４は、サーボモータ等からなる第１の駆動装置８の出力軸に同軸方向に取り付けられており、第１の駆動軸４の駆動（回動）によって第１の駆動装置８の駆動力が光量調節装置６に伝達され光量調節装置６が作動する。
【００２０】
この光量調節装置６の構成を図２〜４に基づいて説明する。図２に示すように、光量調節装置６は地板６ａと絞り羽根６ｂ、６ｃとから構成されており、地板６ａの一側面において絞り羽根６ｂ、６ｃが回動可能に取り付けられている。絞り羽根６ｂ、６ｃには、後述する絞り駆動レバー７が係合する孔部６ｂａ、６ｃａと、光量調節用の開口６ｂｂ、６ｃｂが形成されている。この絞り羽根６ｂ、６ｃが回動すると、開口６ｂｂ、６ｃｂの双方によって形成される開口面積が変化し、該開口６ｂｂ、６ｃｂを通過する光量が調節されることとなる。
【００２１】
ここで、第１のレンズホルダ１と光量調節装置６を構成する地板６ａとの間には、絞り羽根６ｂ、６ｃを回動させる絞り駆動レバー７が配設されている。この絞り駆動レバー７は、第１の軸部材４が貫通する筒部７ｂと、絞り羽根６ｂ、６ｃの孔部６ｂａ、６ｃａに係合するピン７ａとを有している。
【００２２】
この絞り駆動レバー７と、第１の軸部材４との分解斜視図を図３に、双方の係合態様を図４に示している。図３に示すように、絞り駆動レバー７の筒部７ｂには、凹部７ｂａが形成されており、第１の軸部材４の側面には凸部４ａが形成されている。図４に示すように、凸部４ａを凹部７ｂａに嵌合させることにより、絞り駆動レバー７と第１の軸部材４とが相対的に回動しないように双方を係合させることができる。
【００２３】
ここで、第１の軸部材４の側面に形成された凸部４ａは、該第１の軸部材４の長手方向に比較的長尺な形態で形成されており、かつ、該長手方向に沿って均一な断面形状を有している。
【００２４】
なお、図示する実施の形態以外にも、第２の軸部材５の側面に凸部が形成され、この凸部と絞り駆動レバー７の凹部７ｂａが嵌合する形態であってもよい。また、絞り駆動レバー７の筒部７ｂに凸部が形成され、第１の軸部材４または第２の軸部材５の側面に凹部が形成されている実施の形態であってもよい。
【００２５】
絞り駆動レバー７が第１の軸部材４と嵌合していることにより、第１の駆動装置８の回動に応じて第１の軸部材４と絞り駆動レバー７が同期して回動し、絞り羽根６ｂ、６ｃが第１の駆動装置８の回動に同期して回動することができる。したがって、サーボモータ等によるサーボ制御に基づいて、所望の光量開口面積を形成することが可能となる。
【００２６】
また、第１の軸部材４の側面に形成された凸部４ａが、該第１の軸部材４の長手方向に比較的長尺であって、かつ均一な断面形状に形成されていることにより、絞り駆動レバー７が第１の軸部材４に沿って移動した際の係合状態を維持することができる。
【００２７】
図１に戻り、内部機構１０の組立てにおいては、第１のレンズホルダ１と光量調節装置６との間に絞り駆動レバー７が配設され、光量調節装置６（地板６ａ）が第１のレンズホルダ１の対向面に接着剤等によって固設される。かかる組立て形態により、第１のレンズホルダ１と絞り駆動レバー７、光量調節装置６とが、一体となって第１の軸部材４と第２の軸部材５の双方に沿って光軸方向に移動することとなる。
【００２８】
図５は、不図示の第２の駆動装置を駆動させた際に、第１のレンズホルダ１と第２のレンズホルダ２とが、光軸方向に離反する方向に移動した際の内部機構１０の状態を示している。第１のレンズホルダ１の移動に伴って絞り駆動レバー７と光量調節装置６も移動し、第１の駆動装置８の駆動に伴って光量調節装置６が所望の光量環境を形成する。
【００２９】
本発明のレンズ鏡筒の内部機構によれば、光量調節装置を作動させる駆動軸が、レンズホルダの光軸方向移動時の回動振れを規制する役割をも併せて担うことができる。したがって、従来のレンズ鏡筒に比してレンズ鏡筒内の部品点数を削減することができ、レンズ鏡筒の一層の小型化を実現することができる。
【００３０】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００３１】
【図１】本発明の実施の形態にかかるレンズ鏡筒の内部機構を示す斜視図である。
【図２】レンズ鏡筒の内部機構の一部の分解斜視図である。
【図３】第１の軸部材と絞り駆動レバーとの分解斜視図である。
【図４】第１の軸部材と絞り駆動レバーとが取り付けられた状態を示した斜視図である。
【図５】図１のレンズ鏡筒の内部機構において、第１のレンズホルダが移動した際の外観を示した斜視図である。
【図６】従来のレンズ鏡筒の分解斜視図である。
【符号の説明】
【００３２】
１    第１のレンズホルダ
１a   カムピン
１ｂ  筒体
１ｃ  係合部
２    第２のレンズホルダ
２a   カムピン
２ｂ  筒体
２ｃ  係合部
３    第３のレンズホルダ
４    第１の軸部材
５    第２の軸部材
６    光量調節装置
６a   地板
６ｂ  絞り羽根
６ｂ  絞り羽根
７    絞り駆動レバー
８    第１の駆動装置
１０  内部機構
【図１】
2007298660.tif 000003
【図２】
2007298660.tif 000004
【図３】
2007298660.tif 000005
【図４】
2007298660.tif 000006
【図５】
2007298660.tif 000007
【図６】
2007298660.tif 000008